(57)【要約】【課題】  所定時間に蓄積が終了していない受光手段の映像データも読み出せるようにし、最適な読み出しゲインや蓄積時間を設定できるようにした焦点検出装置を提供する。【解決手段】  被写体像を受光するフォトダイオード201-1 と、受光用フォトダイオードの電荷蓄積レベルを示す出力を発生するモニタ用フォトダイオード204 と、受光用フォトダイオードの電荷蓄積の開始及び終了を制御する積分時間制御回路209 と、受光用フォトダイオードの出力を増幅する第１の増幅回路207 と、モニタ用フォトダイオードの出力を増幅する第２の増幅回路211 と、受光用フォトダイオード又は第１の増幅回路の出力に基づいてその増幅率を設定すると共に、モニタ用フォトダイオードの出力に基づいて第２の増幅回路の増幅率を設定する読み出し制御回路212 と、第１の増幅回路の出力に基づいて焦点状態を検出するＡＦコントローラ121 とで焦点検出装置を構成する。【選択図】        図５
2008096608.tif 000002
【特許請求の範囲】
【請求項１】
被写界の所定領域で焦点状態が検出可能な焦点検出装置において、
前記領域に対応して被写体像を形成する光学手段と、
前記領域に対応して配置され、前記光学手段により形成された被写体像を受光する受光手段と、
前記受光手段の蓄積レベルを示す出力を発生する蓄積レベル発生手段と、
前記受光手段の蓄積の開始及び終了を制御する蓄積制御手段と、
前記受光手段の出力を所定の増幅率で増幅する増幅手段と、
前記蓄積レベル発生手段の出力を所定の増幅率で増幅して前記蓄積制御手段に出力する蓄積レベル増幅手段と、
前記受光手段の出力又は前記増幅手段の出力に基づいて前記増幅手段の増幅率を設定すると共に、前記蓄積レベル発生手段の出力に基づいて前記蓄積レベル増幅手段の増幅率を設定する増幅率設定手段と、
前記増幅手段の出力に基づいて焦点状態を検出する焦点検出手段と、
を備えることを特徴とする焦点検出装置。
【請求項２】
前記増幅率設定手段は、蓄積動作による前記蓄積レベル発生手段の出力に基づき、前記蓄積レベル増幅手段の出力が適正となるように、前記蓄積レベル増幅手段の増幅率を設定すると共に、前記増幅手段の増幅率を、前記蓄積レベル増幅手段の増幅率と略同一に設定することを特徴とする請求項１に係る焦点検出装置。
【請求項３】
被写界の複数領域で焦点状態が検出可能な焦点検出装置において、
前記複数の領域に対応してそれぞれ被写体像を形成する光学手段と、
前記複数の領域に対応して配置され、前記光学手段により形成された被写体像を受光する複数の受光手段と、
前記複数の受光手段に対応する蓄積レベルを示す出力を発生する複数の蓄積レベル発生手段と、
前記複数の受光手段の蓄積の開始及び終了を制御する蓄積制御手段と、
前記複数の受光手段の出力をそれぞれ所定の増幅率で増幅する増幅手段と、
前記複数の蓄積レベル発生手段の出力をそれぞれ所定の増幅率で増幅して前記蓄積制御手段に出力する複数の蓄積レベル増幅手段と、
前記複数の受光手段の出力又は前記増幅手段の出力に基づいて前記増幅手段の増幅率を複数の受光手段に対応して設定すると共に、前記複数の蓄積レベル発生手段の出力に基づいて前記複数の蓄積レベル増幅手段の増幅率をそれぞれ設定する増幅率設定手段と、
前記増幅手段の出力に基づいて前記複数の領域における焦点状態を検出する焦点検出手段と、
を備えることを特徴とする焦点検出装置。
【請求項４】
前記増幅率設定手段は、蓄積動作による前記複数の蓄積レベル発生手段の出力に基づき、前記蓄積レベル増幅手段の出力が適正となるように、前記複数の蓄積レベル増幅手段の増幅率をそれぞれ設定すると共に、前記増幅手段の増幅率を、複数の受光手段にそれぞれ対応させて、前記複数の蓄積レベル増幅手段の増幅率とそれぞれ略同一に設定することを特徴とする請求項３に係る焦点検出装置。
【発明の詳細な説明】
【技術分野】
【０００１】
この発明は、焦点検出装置に関し、特に撮影画面内における複数の測距点の焦点状態を検出可能な焦点検出装置に関する。
【背景技術】
【０００２】
近年、カメラの高性能化や高機能化に伴って、撮影画面内の多くの測距点の焦点状態を検出できる焦点検出装置に関する種々の技術が提案されている。例えば、特許第２８５０３１６号公報において提案されている自動焦点検出装置では、複数のラインイメージセンサ毎に積分時間を制御する手段に加えて、各ラインイメージセンサの映像データすなわち蓄積電荷を、最後のラインイメージセンサの積分時間終了まで保持する手段を設け、全ラインイメージセンサの積分終了後に全ラインイメージセンサの映像データを順次読み出すように構成することで、複数のラインイメージセンサの積分時間の制御と読み出しに関する制御を簡素化するようにしている。
【特許文献１】特許第２８５０３１６号公報
【発明の開示】
【発明が解決しようとする課題】
【０００３】
しかしながら、上記焦点検出装置における制御手法においては、全てのラインイメージセンサから映像データを読み出すためには、全てのラインイメージセンサの蓄積が終了する必要がある。しかし、撮影画面内の明るさにばらつきがある場合、各ラインイメージセンサの蓄積時間にばらつきが生じる。撮影画面内の明るさのばらつきが大きくなると、最初に蓄積を終了したラインイメージセンサと最後に蓄積を終了したラインイメージセンサの蓄積時間のばらつきが大きくなり、蓄積時間が恒常的に長くなる。
【０００４】
また、注目する測距点に対応したラインイメージセンサの蓄積が終了した時点、又は所定時間後に、蓄積を終了した映像データの読み出しに移行した場合は、読み出しに移行した時点で蓄積を終了していないラインイメージセンサの蓄積データは読み出すことができない。この結果、注目する測距点をユーザーが指定するモードにおいては、測距点の設定に変更があった場合は、蓄積時間が長くなる場合があり、オートフォーカスのレスポンスに影響を与えてしまうという問題点があった。
【０００５】
本発明は、従来の焦点検出装置における上記問題点を解消するためになされたものであり、蓄積制御の強制停止機能をもたせ、所定時間に蓄積が終了していないラインイメージセンサの映像データも読み出せるようにし、読み出した結果より最適な読み出しゲインや蓄積時間を設定できるようにすることで、撮影シーンに応じた最適な蓄積時間設定を行い、蓄積に係る時間のばらつきを抑えた焦点検出装置を提供することを目的とする。
【課題を解決するための手段】
【０００６】
上記課題を解決するため、請求項１に係る発明は、被写界の所定領域で焦点状態が検出可能な焦点検出装置において、前記領域に対応して被写体像を形成する光学手段と、前記領域に対応して配置され、前記光学手段により形成された被写体像を受光する受光手段と、前記受光手段の蓄積レベルを示す出力を発生する蓄積レベル発生手段と、前記受光手段の蓄積の開始及び終了を制御する蓄積制御手段と、前記受光手段の出力を所定の増幅率で増幅する増幅手段と、前記蓄積レベル発生手段の出力を所定の増幅率で増幅して前記蓄積制御手段に出力する蓄積レベル増幅手段と、前記受光手段の出力又は前記増幅手段の出力に基づいて前記増幅手段の増幅率を設定すると共に、前記蓄積レベル発生手段の出力に基づいて前記蓄積レベル増幅手段の増幅率を設定する増幅率設定手段と、前記増幅手段の出力に基づいて焦点状態を検出する焦点検出手段とを備えて焦点検出装置を構成するものである。
【０００７】
上記請求項１に係る発明における構成要件の「光学手段」は、実施例における「コンデンサレンズ116 ，全反射ミラー117 ，セパレータ絞り118 及びセパレータレンズ119 」に対応し、同じく「受光手段」は「フォトダイオード201-1 」に、「蓄積レベル発生手段」は「モニタ用フォトダイオード204 」に、「蓄積制御手段」は「積分時間制御回路209 」に、「増幅手段」は「第１の増幅回路207 」に、「蓄積レベル増幅手段」は「第２の増幅回路211 」に、「増幅率設定手段」は「読み出し制御回路212 及びＡＦコントローラ121 」に、「焦点検出手段」は「ＡＦコントローラ121 」にそれぞれ対応している。
【０００８】
請求項２に係る発明は、請求項１に係る焦点検出装置において、前記増幅率設定手段は、蓄積動作による前記蓄積レベル発生手段の出力に基づき、前記蓄積レベル増幅手段の出力が適正となるように、前記蓄積レベル増幅手段の増幅率を設定すると共に、前記増幅手段の増幅率を、前記蓄積レベル増幅手段の増幅率と略同一に設定することを特徴とするものである。
【０００９】
請求項３に係る発明は、被写界の複数領域で焦点状態が検出可能な焦点検出装置において、前記複数の領域に対応してそれぞれ被写体像を形成する光学手段と、前記複数の領域に対応して配置され、前記光学手段により形成された被写体像を受光する複数の受光手段と、前記複数の受光手段に対応する蓄積レベルを示す出力を発生する複数の蓄積レベル発生手段と、前記複数の受光手段の蓄積の開始及び終了を制御する蓄積制御手段と、前記複数の受光手段の出力をそれぞれ所定の増幅率で増幅する増幅手段と、前記複数の蓄積レベル発生手段の出力をそれぞれ所定の増幅率で増幅して前記蓄積制御手段に出力する複数の蓄積レベル増幅手段と、前記複数の受光手段の出力又は前記増幅手段の出力に基づいて前記増幅手段の増幅率を複数の受光手段に対応して設定すると共に、前記複数の蓄積レベル発生手段の出力に基づいて前記複数の蓄積レベル増幅手段の増幅率をそれぞれ設定する増幅率設定手段と、前記増幅手段の出力に基づいて前記複数の領域における焦点状態を検出する焦点検出手段とを備えて焦点検出装置を構成するものである。
【００１０】
請求項４に係る発明は、請求項３に係る焦点検出装置において、前記増幅率設定手段は、蓄積動作による前記複数の蓄積レベル発生手段の出力に基づき、前記蓄積レベル増幅手段の出力が適正となるように、前記複数の蓄積レベル増幅手段の増幅率をそれぞれ設定すると共に、前記増幅手段の増幅率を、複数の受光手段にそれぞれ対応させて、前記複数の蓄積レベル増幅手段の増幅率とそれぞれ略同一に設定することを特徴とするものである。
【発明の効果】
【００１１】
請求項１に係る発明によれば、増幅率設定手段は、受光手段の出力又は増幅手段の出力に基づいて、増幅手段の出力が適正となる増幅率を増幅手段に設定し、また蓄積レベル発生手段の出力に基づいて、蓄積レベル増幅手段の出力が適正となる増幅率を蓄積レベル増幅手段に設定し、前記増幅率の設定に基づき、蓄積・焦点検出動作を行うことにより、蓄積時間を短縮し撮影シーンに対応した蓄積時間制御が可能となると共に、正確な焦点検出が可能となる。
請求項２に係る発明によれば、増幅手段の増幅率と蓄積レベル増幅手段の増幅率を一致させることによって、より適正な蓄積時間制御及び正確な焦点検出が可能となる。
請求項３に係る発明によれば、増幅率設定手段は、複数の受光手段の出力又は増幅手段の出力に基づいて、複数の受光手段に対応する増幅手段の出力が適正となる増幅率を増幅手段に設定し、また複数の蓄積レベル発生手段の出力に基づいて、複数の蓄積レベル増幅手段の出力がそれぞれ適正となる増幅率を複数の蓄積レベル増幅手段にそれぞれ設定し、前記増幅率の設定に基づき、蓄積・焦点検出動作を行うことにより、複数の受光手段の蓄積時間を短縮し且つ複数の受光手段の蓄積時間のばらつきを抑えて撮影シーンに対応した蓄積時間制御が可能となると共に、正確な焦点検出が可能となる。
請求項４に係る発明によれば、複数の受光手段のそれぞれに対応する増幅手段の増幅率と、対応する蓄積レベル増幅手段の増幅率を一致させることによって、複数の焦点検出領域において、より適正な蓄積時間制御及び正確な焦点検出が可能となる。
【発明を実施するための最良の形態】
【００１２】
次に、本発明を実施するための最良の形態について説明する。
【実施例】
【００１３】
（実施例１）
まず、本発明に係る焦点検出装置の実施例１を詳細に説明するに先立ち、カメラ全体の自動焦点調整について説明する。図１は、本発明の実施例１に係る焦点検出装置を含む、レンズ交換式の一眼レフレクスカメラを示す概略ブロック構成図である。すなわち、図１に示すカメラは、交換レンズ101 とカメラボディ110 とから構成されている。そして、交換レンズ101 は、カメラボディ110 の前面に設けられたカメラマウント（不図示）を介してカメラボディ110 に着脱自在に構成されている。また、この交換レンズ101 の内部には、フォーカスレンズ102 と、レンズ駆動部103 と、レンズＣＰＵ104 とが設けられている。
【００１４】
フォーカスレンズ102 は、撮影光学系に含まれる焦点調節用のレンズであり、レンズ駆動部103 内の図示しないモータによって、その光軸方向（図１の矢印方向）に駆動される。ここで、実際の撮影光学系は複数のレンズから構成されているが、図１においてはフォーカスレンズ102 のみを図示している。レンズ駆動部103 は、モータとその駆動回路（モータドライバ）とから構成されている。レンズＣＰＵ104 は、レンズ駆動部103 の制御などを行う制御回路である。このレンズＣＰＵ104 は、通信コネクタ105 を介してカメラボディ110 内のＡＦコントローラ121 と通信可能に構成されている。レンズＣＰＵ104 からＡＦコントローラ121 へは、例えばレンズＣＰＵ104 に予め記憶された、フォーカスレンズの製造ばらつき情報やフォーカスレンズの収差情報などのレンズデータが通信される。
【００１５】
また、カメラボディ110 は、次のように構成されている。メインミラー111 は、回動可能に構成され、その中央部がハーフミラーで構成されたミラーである。メインミラー111 がダウン位置（図示の位置）にあるときには、交換レンズ101 内のフォーカスレンズ102 を介してカメラボディ110 内に入射した図示しない被写体からの光束の一部が、メインミラー111 で反射されて、フォーカシングスクリーン112 ，ペンタプリズム113 を介して接眼レンズ114 に至る。これにより、図示しない被写体の状態を観察することができる。
【００１６】
また、メインミラー111 に入射した光束の一部はハーフミラー部を透過して、メインミラー111 の背面に設置されたサブミラー115 で反射されて、自動焦点検出（ＡＦ）を行うためのＡＦ光学系に導かれる。ＡＦ光学系は、コンデンサレンズ116 と、全反射ミラー117 と、セパレータ絞り118 と、セパレータレンズ119 とから構成されている。
【００１７】
図２は、図１に示したカメラで用いられるＡＦ光学系の２次結像系を模式的に示した図である。サブミラー115 で反射された光束は、１次結像面上に結像される。１次結像面上に結像された被写体の光束は、コンデンサレンズ116 において集光され、全反射ミラー117 で反射された後、図示しないセパレータ絞りにおいて瞳分割される。セパレータ絞りで瞳分割された被写体の光束は、セパレータレンズ119 によって集光されてＡＦ光学系の後方に配置されたＡＦセンサ120 の所定領域に入射する。ここで、ＡＦセンサ120 は、例えば図３に示すような撮影画面内の複数の測距点（図示例では11点）の焦点状態を検出可能なものを想定している。このＡＦセンサ120 については、後で詳しく説明する。
【００１８】
ＡＦセンサ120 においては、被写体からの光束が光電変換によってアナログの電気信号に変換される。ＡＦセンサ120 の出力は、ＡＦコントローラ121 に入力される。ＡＦコントローラ121 は、ＡＦセンサ120 に蓄積の開始・終了及び、読み出し制御を行うと共に、ＡＦセンサ120 からの入力をもとに、デフォーカス量の演算をする。このＡＦコントローラ121 の動作制御は、システムコントローラ122 によって行われる。
【００１９】
また、ＡＦコントローラ121 で得られたデフォーカス量は、レンズＣＰＵ104 に通信される。レンズＣＰＵ104 では、通信されたデフォーカス量に基づいて、フォーカスレンズ102 を駆動するためのモータの駆動量が演算される。このモータの駆動量に基づいて、レンズ駆動部103 を介してフォーカスレンズ102 が合焦駆動される。
【００２０】
また、図１において、メインミラー111 がフォーカスレンズ102 の光路上から退避するアップ位置にあるときは、フォーカスレンズ102 を介して入射した被写体からの光束が撮像素子123 に結像して光電変換される。これによって得られた信号がシステムコントローラ122 に入力されて、所定の画像処理が施される。
【００２１】
次に、本発明に係る焦点検出装置であるＡＦセンサの詳細について説明する。図４は、図３に示すような11点の測距点の焦点状態を検出するための、各測距点における各センサの配置態様について示す図である。図４に示すＡＦセンサは、撮影画面の水平方向に沿って配置された水平方向基準部センサ群221a-1及び水平方向参照部センサ群221a-2と、撮影画面の垂直方向に沿って配置された垂直方向基準部センサ群221b-1及び垂直方向参照部センサ群221b-2とから構成されている。なお、水平方向基準部センサ群221a-1と水平方向参照部センサ群221a-2，垂直方向基準部センサ群221b-1と垂直方向参照部センサ群221b-2とがそれぞれ対をなしており、それぞれのセンサ群の対でデフォーカス量の演算が行われ、このような構成により、図３に示すような11点の測距点の全ての焦点状態を、水平方向センサ群と垂直方向センサ群の２対のセンサ群を用いて検出することができ、焦点検出の精度を向上させることができる。
【００２２】
また、各一対のセンサ群における基準部の画素列からの出力は、図４に示すように参照部の画素列が配置された側とは反対の側、すなわち、参照部の画素列の存在しない側に向けて順次出力されるように出力部が構成されている。同様に、参照部の画素列からの出力は、基準部の画素列が配置された側とは反対の側に向けて順次出力されるように出力部が構成されている。
【００２３】
ここで、水平方向基準部センサ群221a-1と水平方向参照部センサ群221a-2とは、それぞれ５個の画素列からなるラインセンサが１列と、３個の画素列からなるラインセンサが２列とで配置された11個の画素列から構成されている。また、垂直方向基準部センサ群221b-1と垂直方向参照部センサ群221b-2とは、それぞれ３個の画素列からなるラインセンサが２列と、２個の画素列からなるラインセンサが２列と、４個の画素列からなるラインセンサが１列とが配置され、14個の画素列から構成されているが、３個の画素列は、予備のものであり、実質11個の画素列が使用できる。
【００２４】
図５は、図４の水平方向基準部センサ群221a-1と、水平方向参照部センサ群221a-2の一部（それぞれ５個の画素列からなるラインセンサ部分）のセンサ回路構成について示す図である。ここで、図５に示すｎは図４のｎに対応している。なお、図４において、図５に示す部分以外のセンサ回路は、画素列の数が異なる以外は図５の回路構成と同じものである。
【００２５】
図５に示すように、本実施例では１つの画素列当たり２つのラインセンサ201 ，202 が千鳥状に配置されている。すなわち、ラインセンサ202 をラインセンサ201 に対して１／２画素分ずらして配置するようにしている。このように２つのラインセンサを千鳥状に配置することにより、焦点検出の精度を向上させることができる。また、図５に示すように、２本目のラインセンサ202 の横には、モニタ用のフォトダイオード204 が配置されている。
【００２６】
また、図５において、各画素列を構成する２つのラインセンサ201 ，202 は、それぞれが画素を構成する複数のフォトダイオード201-1 ，202-1 から構成されている。これら複数のフォトダイオード201-1 ，202-1 では、該フォトダイオード201-1 ，202-1 に入射した被写体の光束の光量に応じた光電荷が得られる。それぞれのフォトダイオード201-1 ，202-1 で得られた光電荷は電荷蓄積部201-２，202-2 に蓄積される。
【００２７】
ここで、電荷蓄積部201-２，202-2 の電荷蓄積量は、モニタ用のフォトダイオード204 によってモニタされている。このモニタ用のフォトダイオード204 については、基準部のモニタ用のフォトダイオード204 と対応する参照部のモニタ用のフォトダイオード204 の平均値を、第２の増幅回路211 により所定の増幅率で増幅し、積分時間制御回路209 に出力されるように構成されている。積分時間制御回路209 は、各モニタ用のフォトダイオード204 に対応して設けられ、積分時間制御回路209 に入力された所定の増幅率に増幅されたモニタ用のフォトダイオード204 の出力が、所定の閾値以上になったか否かを判定して、閾値以上になった場合にラインセンサのフォトダイオードから電荷蓄積部への電荷蓄積（積分動作）を終了させる。また、モニタ用のフォトダイオード204 の出力が閾値以上でなくとも、ＡＦコントローラ121 からの蓄積終了コマンドを受けた場合は、電荷蓄積を終了させる。なお、電荷蓄積を終了させるための閾値や積分時間はＡＦコントローラ121 から変更可能である。
【００２８】
電荷蓄積が終了すると、電荷蓄積部201-2 ，202-2 の後段に接続された転送スイッチ201-3 ，202-3 が閉じられて電荷蓄積部201-2 ，202-2 に蓄積された光電荷が電荷転送路205 に転送される。
【００２９】
読み出し制御回路212 は、ＡＦコントローラ121 からのＣＣＤ読み出しコマンドを受けると、電荷転送路205 にパルスを印加し、光電荷がパルス毎シフトされ、１画素ずつ電荷・電圧変換アンプ206 に転送されて電圧信号に変換される。電荷・電圧変換アンプ206 において変換された電圧信号は、第１の増幅回路207 において所定の増幅率（例えば、１倍、２倍、４倍、８倍のいずれかが選択される）で増幅された後、出力選択回路208 に入力される。
【００３０】
ここで、第１の増幅回路207 による増幅率は、出力される電荷が蓄積された画素列に対応するモニタ用のフォトダイオード204 の出力を増幅する第２の増幅回路211 の増幅率とほぼ同一となるように、読み出し制御回路212 により決定される。出力選択回路208 においては、読み出し制御回路212 により制御され、図示しない他のセンサ列との出力から所定の電圧（読み出し制御回路212 により選択されたセンサ列の電荷・電圧変換アンプ206 によって変換され、第１の増幅回路207 によって増幅された電圧）を選択し出力する。これによって得られた出力電圧ＶＮが後段のＡＦコントローラ121 に出力される。
【００３１】
図６から図８は、ＡＦコントローラ121 からのコマンドと積分時間制御回路209 の動作の関係を示し、図６は通常の蓄積シーケンスを、図７は強制蓄積終了シーケンス（所定時間で蓄積を終了）を、図８は第２の増幅回路211 に増幅率が設定された場合の蓄積シーケンスをそれぞれ示す図である。図中のphi-rmは、電荷蓄積部201-2 ，202-2 に蓄積された電荷の吐き出しを行う信号で、Ｈigh レベルで電荷の吐き出しを行う。vmonは、モニタ用のフォトダイオード204 から出力され第２の増幅回路211 により、ＡＦコントローラ121 によって設定された所定の増幅率で増幅された信号であり、積分時間制御回路209 により監視される。
【００３２】
ＴＧ１は、蓄積制御信号で、電荷吐き出し中にパルスが入力された場合は、蓄積の開始を意味し、このＴＧ１のパルスが入力されると、フォトダイオード201-1 ，202-1 で変換された光電荷が蓄積される。２回目のＴＧ１のパルス（phi-rmがＬowのときに入力されるパルス）は蓄積の停止を意味し、この２回目のＴＧ１のパルスが入力されると、フォトダイオード201-1 ，202-1 に蓄積された光電荷が電荷蓄積部201-2 ，202-2 に移送される。その後、不図示の所定タイミングで、電荷転送スイッチ201-3 ，202-3 がオンされて、電荷蓄積部201-2 ，202-2 から電荷転送路205 に信号電荷（光電荷）が移送される。
【００３３】
ここで、２回目のＴＧ１のパルスは、通常蓄積シーケンス時には、図６に示すように、vmonがＴＧ１生成用ＶＴＨ（閾値）を超えたことに起因して発生しているが、強制終了時には、図７に示すように、ＡＦコントローラ121 からの蓄積終了コマンドに起因して発生するようにしている。
【００３４】
図８に示す蓄積シーケンスでは、第２の増幅回路211 に所定の増幅率を設定することで、モニタ用のフォトダイオード204 からの出力が増幅され、vmonがＴＧ１生成用ＶＴＨにいたる時間が短縮されている。
【００３５】
以上説明したように実施例１によれば、一度目の焦点検出は、図６に示すように、所定時間の蓄積を行った後、強制停止により、蓄積を終了し、全ての画素列のデータを読み出す。この読み出しデータより、各画素列に最適な読み出しゲイン（第２の増幅回路の増幅率）を設定することで、２回目以降の蓄積時間はばらつきを抑えることが可能になり、撮影シーンに合わせた最適な蓄積制御を行うことができる。
【００３６】
以上実施例に基づいて本発明を説明したが、本発明は上記した実施例に限定されるものではなく、本発明の要旨の範囲内で種々の変形や応用が可能なことは勿論である。例えば、上記した実施例では千鳥状配置のラインセンサのラインセンサ数を２つとしたものを示したが、この数は増やしてもよい。
【図面の簡単な説明】
【００３７】
【図１】本発明に係る焦点検出装置を備えた一眼レフレクスカメラを示す概略ブロック図である。
【図２】図１に示したカメラにおけるＡＦ光学系の２次結像系部分の構成を模式的に示す図である。
【図３】図１に示したＡＦセンサにおいて、11点の測距点の焦点状態を検出するためのセンサの配置態様を示す図である。
【図４】各測距点に配置される、本発明に係る焦点検出装置の実施例によるＡＦセンサの構成を示す図である。
【図５】図４に示した水平方向基準部ラインセンサ群と水平方向参照部ラインセンサ群の一部のセンサの回路構成を示す図である。
【図６】本発明の実施例に係るＡＦセンサにおいて、通常の蓄積シーケンスにおけるＡＦコントローラコマンドと積分時間制御回路の関係を示す図である。
【図７】強制蓄積終了シーケンスにおけるＡＦコントローラコマンドと積分時間制御回路の関係を示す図である。
【図８】第２の増幅回路に増幅率が設定された場合の蓄積シーケンスにおけるＡＦコントローラコマンドと積分時間制御回路の関係を示す図である。
【符号の説明】
【００３８】
101   交換レンズ
102   フォーカスレンズ
103   レンズ駆動部
104   レンズＣＰＵ
105   通信コネクタ
110   カメラボディ
111   メインミラー
112   フォーカシングスクリーン
113   ペンタプリズム
114   接眼レンズ
115   サブミラー
116   コンデンサレンズ
117   全反射ミラー
118   セパレータ絞り
119   セパレータレンズ
120   ＡＦセンサ
121   ＡＦコントローラ
122   システムコントローラ
201 ，202   ラインセンサ
201-1 ，202-1   フォトダイオード
201-2 ，202-2   電荷蓄積部
201-3 ，202-3   転送スイッチ
204   モニタ用フォトダイオード
205   電荷転送路
206   電荷・電圧変換アンプ
207   第１の増幅回路
208   出力選択回路
209   積分時間制御回路
211   第２の増幅回路
212   読み出し制御回路
221a-1  水平方向基準部センサ
221a-2  水平方向参照部センサ
221b-1  垂直方向基準部センサ
221b-2  垂直方向参照部センサ
【図１】
2008096608.tif 000003
【図２】
2008096608.tif 000004
【図３】
2008096608.tif 000005
【図４】
2008096608.tif 000006
【図５】
2008096608.tif 000007
【図６】
2008096608.tif 000008
【図７】
2008096608.tif 000009
【図８】
2008096608.tif 000010